(57)【要約】      （修正有）【課題】２段圧縮式冷媒回路において、低段側吐出冷媒を機体本体から回収したドレン水により水冷してから凝縮器で空冷することで、空冷に使用する回路を縮小し、コンパクト化並びに低コスト化を図ることができる。【解決手段】冷凍装置１０を構成する圧縮機１１は低段側圧縮部１１ａ、高段側圧縮部１１ｂを備えた２段圧縮機を使用し、圧縮機１１の低段側圧縮部１１ａの出口側は凝縮器２に接続され、凝縮器２の出口側の一方は冷却器１２に接続され、冷却器１２の出口側は圧縮機１１の低段側圧縮部１１ａの流入側に接続され、凝縮器２の出口側の他方は圧縮機１１の高段側圧縮部１１ｂの吸入側に接続され、圧縮機１１の高段側圧縮部１１ｂの吐出側は凝縮器２に流入側に接続する２段圧縮式冷媒回路において、低段側圧縮部１１ａの吐出冷媒を機体本体から回収したドレン水により水冷してから凝縮器で空冷する．【選択図】図１
2014035136.tif 000002
【特許請求の範囲】
【請求項１】
冷凍装置を構成する圧縮機は低段側圧縮部、高段側圧縮部を備えた２段圧縮機を使用し、圧縮機の低段側圧縮部の出口側は凝縮器に接続され、凝縮器の出口側の一方は冷却器に接続され、冷却器の出口側は圧縮機の低段側圧縮部の流入側に接続され、凝縮器の出口側の他方は圧縮機の高段側圧縮部の吸入側に接続され、圧縮機の高段側圧縮部の吐出側は凝縮器に流入側に接続する２段圧縮式冷媒回路において、
低段側圧縮部の吐出冷媒を機体本体から回収したドレン水により水冷してから凝縮器で空冷することを特徴としたショーケース。
【請求項２】
低段側圧縮部の吐出冷媒は、ドレン水を溜める蒸発皿内を通過させる請求項１記載のショーケース。
【発明の詳細な説明】
【技術分野】
【０００１】
本発明は、２つの圧縮要素を持つ２段圧縮機を備えたショーケースに関するものである。
【背景技術】
【０００２】
下記特許文献１にもあるが、図４に示すように、スーパーマーケットなどの店舗に設置されるオープンタイプの縦型の冷凍・冷蔵ショーケースは、ショーケース本体１の下部に形成される機械室３内に凝縮器２や圧縮機などにより構成される冷凍ユニットを配設し、ショーケース本体の背面側に設置した冷却器で冷却した冷気で商品収納庫１ａ内に収納した商品を冷却するもので、冷気は循環される。８はショーケースコントローラを示す。
【特許文献１】特開２００７−３３３２８１号公報
【０００３】
かかるショーケースでは、ショーケース本体１に設置した冷却器からの除霜水などのドレン水を処理する装置として、例えば、下記特許文献にも示すように、商品を収納陳列するショーケース本体の下方に形成される機械室３内にドレン水を強制的に蒸発するドレン水の蒸発装置９を設置している。
【特許文献２】実開平５−５９１８０号公報
【特許文献３】実開平２−２４２７２号公報
【０００４】
このドレン水の蒸発装置９は、ショーケース本体１の底部に形成したドレン口に接続するドレン管の下方に位置させて、機械室３内に配設され、ドレン水を溜める蒸発皿（ドレンパン）４内に蒸発材として、多数枚が並列する蒸発板７を配設した。
【０００５】
他方、前記のように、機械室３内には冷却ユニットとして、圧縮機、凝縮器２、送風機６が設置されており、送風機６により凝縮器２等を通過した温風を蒸発板７に当て、これにより蒸発板７に含ませたドレン水を、排熱を利用して強制的に蒸発させる。
【０００６】
図中５は、ドレン水の満水を検知する水位検知センサで、フロート式のセンサを使用し、蒸発皿４に水位検知センサ５を設置し、水面の変動を計測する。
【０００７】
ところで、前記冷凍・冷蔵ショーケースは、ショーケース本体１で、冷凍ユニットの圧縮機に２段圧縮機を使用して、冷蔵室と冷凍室を効率良く行うことが検討される。
【０００８】
図３に２段圧縮式冷媒回路を示すと、図中１１は冷凍装置１０を構成する圧縮機、２は凝縮器、１２は冷却器で、圧縮機１１は低段側圧縮部（１段圧縮）１１ａ、高段側圧縮部（２段圧縮）１１ｂを備えた２段圧縮機である。
【０００９】
圧縮機１１の低段側圧縮部（１段圧縮）１１ａの出口側は配管１３を経て凝縮器２の流入側に接続され、凝縮器２に流入し、そこで放熱して凝縮された後、凝縮器２から流出して分流される。
【００１０】
凝縮器２の出口側の一方は配管１５を経て冷却器１２に接続され、冷媒は冷却器１２に流入して蒸発する。このときに周囲から熱を奪うことによって、冷却器１２は冷却作用を発揮しショーケースの商品庫内は所定の温度に冷却される。
【００１１】
冷却器１２の出口側は圧縮機１１の低段側圧縮部（１段圧縮）１１ａの流入側に接続され、圧縮機１１の低段側圧縮部（１段圧縮）１１ａで中間圧まで圧縮され、凝縮器２に入り空冷される。
【００１２】
また、凝縮器２の出口側の他方は圧縮機１１の高段側圧縮部（２段圧縮）１１ｂの吸入側に接続され、圧縮機１１の高段側圧縮部（２段圧縮）１１ｂの吐出側は配管１６を経て凝縮器２の流入側に接続する。
【００１３】
そして、冷却器１２から圧縮機１１の低段側圧縮部（１段圧縮）１１ａへ流入し、中間圧まで圧縮され、凝縮器２に入り空冷される。
【００１４】
凝縮器２の出口側の他方は、配管１４を経て圧縮機１１の高段側圧縮部（１段圧縮）１１ｂの吸入管に接続され、そこで圧縮（二段圧縮）された二段圧縮ガス冷媒は、吐出管から配管１６を経て凝縮器２に流入する。
【００１５】
このように低圧の冷媒は圧縮機１１により中間圧まで圧縮され、凝縮器２に入り空冷される。その後再度圧縮機内に戻り、さらに圧縮され冷凍サイクルへ吐出する。
【発明の概要】
【発明が解決しようとする課題】
【００１６】
前記図３に示す従来の２段圧縮式冷媒回路では、低圧冷媒を圧縮機にて中間圧力まで圧縮した後凝縮器にて中間冷却行い再度圧縮機に戻し高圧まで圧縮する。その場合、凝縮器は冷媒を中間冷却を行う為の回路が必要となるため、サイズも大きくなり、コストもかかる。
【００１７】
本発明の目的は、２段圧縮式冷媒回路において、コンパクト化並びに低コスト化を図ることができるショーケースを提供することにある。
【課題を解決するための手段】
【００１８】
前記目的を達成するため請求項１記載の本発明は、冷凍装置を構成する圧縮機は低段側圧縮部、高段側圧縮部を備えた２段圧縮機を使用し、圧縮機の低段側圧縮部の出口側は凝縮器に接続され、凝縮器の出口側の一方は冷却器に接続され、冷却器の出口側は圧縮機の低段側圧縮部の流入側に接続され、凝縮器の出口側の他方は圧縮機の高段側圧縮部の吸入側に接続され、圧縮機の高段側圧縮部の吐出側は凝縮器に流入側に接続する２段圧縮式冷媒回路において、低段側圧縮部の吐出冷媒を機体本体から回収したドレン水により水冷してから凝縮器で空冷すること、および、低段側圧縮部の吐出冷媒は、ドレン水を溜める蒸発皿内を通過させることを要旨とするものである。
【００１９】
請求項１記載の本発明によれば、２段圧縮式冷媒回路において、低段側吐出冷媒を機体本体から回収したドレン水により水冷してから凝縮器で空冷することで、水冷伝熱促進により凝縮器を縮小でき、高段側の圧縮仕事低減による省エネが図れ、潜熱回収によるフロリストサイクル化（省エネ）が実現できる。
【００２０】
請求項２記載の本発明によれば、低段側圧縮部の吐出冷媒を機体本体から回収したドレン水により水冷するのに、ドレン水を溜める蒸発皿内を通過させることで、効率のよい冷却が得られるとともにドレン水との熱交換によるドレン水の蒸発を促進させることができる。
【発明の効果】
【００２１】
以上述べたように本発明のショーケースは、２段圧縮式冷媒回路において、低段側吐出冷媒を機体本体から回収したドレン水により水冷してから凝縮器で空冷することで、空冷に使用する回路を縮小し、コンパクト化並びに低コスト化を図ることができるものである。
【発明を実施するための形態】
【００２２】
以下、図面について本発明の実施の形態を詳細に説明する。図１は本発明のショーケースの２段圧縮式冷媒回路の一例を示すもので、前記従来例を示す図３と同一構成要素には同一参照符号を付したものである。
【００２３】
なお、本発明を適用するショーケースのうち、オープンタイプの縦型のショーケースについては前記図４で説明した通りであり、説明を省略する。
【００２４】
図１中、９はドレン水の蒸発装置で、図４に示すように前記のごとく、ショーケース本体１の底部に形成したドレン口に接続するドレン管の下方に位置させて、機械室３内に配設され、ドレン水を溜める蒸発皿（ドレンパン）４内に蒸発材として、多数枚が並列する蒸発板７を配設したもので、送風機６により凝縮器２等を通過した温風を蒸発板７に当て、これにより蒸発板７に含ませたドレン水を、排熱を利用して強制的に蒸発させる。
【００２５】
冷凍装置１０を構成する圧縮機１１、凝縮器２、冷却器１２のうち、圧縮機１１は低段側圧縮部（１段圧縮）１１ａ、高段側圧縮部（２段圧縮）１１ｂを備えた２段圧縮機である。
【００２６】
圧縮機１１の低段側圧縮部（１段圧縮）１１ａの出口側は配管１３を経て凝縮器２の流入側に接続され、凝縮器２に流入し、そこで放熱して凝縮された後、凝縮器２から流出して分流されるが、本発明は、圧縮機１１の低段側圧縮部（１段圧縮）１１ａの出口側と凝縮器２との間に、ドレン水の蒸発装置９を介在させた。
【００２７】
凝縮器２の出口側の一方は配管１５を経て冷却器１２に接続され、冷媒は冷却器１２に流入して蒸発する。このときに周囲から熱を奪うことによって、冷却器１２は冷却作用を発揮しショーケースの商品庫内は所定の温度に冷却される。
【００２８】
冷却器１２の出口側は圧縮機１１の低段側圧縮部（１段圧縮）１１ａの流入側に接続され、圧縮機１１の低段側圧縮部（１段圧縮）１１ａで中間圧まで圧縮され、前記ドレン水の蒸発装置９を経て凝縮器２に入り空冷される。
【００２９】
また、凝縮器２の出口側の他方は圧縮機１１の高段側圧縮部（２段圧縮）１１ｂの吸入側に接続され、圧縮機１１の高段側圧縮部（２段圧縮）１１ｂの吐出側は配管１６を経て凝縮器２の流入側に接続する。
【００３０】
このように低圧の冷媒は圧縮機１１により中間圧まで圧縮され、凝縮器２に入り空冷される。その後再度圧縮機内に戻り、さらに圧縮され冷凍サイクルへ吐出する点は前記従来例と同じであるが、本発明は、低圧の冷媒が圧縮機１１により中間圧まで圧縮された後、圧縮機１１の外部に出た冷媒は、本体より回収され、ドレン水の蒸発装置９に溜まったドレン水にて水冷された後、凝縮器２に入り空冷され、再度圧縮機１１内に戻り、高圧に圧縮され冷媒サイクルへ吐出するようにした。
【００３１】
図２はその一例を示すドレン水の蒸発装置９の斜視図で、圧縮機１１の低段側圧縮部（１段圧縮）１１ａの出口側は配管１３を経て凝縮器２の流入側に接続されるが、この配管１３をドレン水を溜める蒸発皿４内を通過させるようにした。
【００３２】
ドレン水の蒸発装置９はドレン水を溜める蒸発皿（ドレンパン）４内に蒸発材として、多数枚が並列する蒸発板７を配設し、その上に不織布による蒸発布２０を敷設したもので、図４に示すようにフロート式の水位検知センサ５を付設している。
【００３３】
なお、他の実施形態として、配管１３を蒸発板７を通過させるようにすることや、また、ポンプ等の散水装置を付設して、蒸発皿４内のドレン水を汲み上げ、これを配管１３に散水するようにしてもよい。
【００３４】
２段圧縮式冷媒回路において、圧縮機１１の低段側圧縮部（１段圧縮）１１ａからの低段側吐出冷媒をドレン水により水冷してから凝縮器２で空冷することで、ドレン水との熱交換によるドレン水蒸発の促進も得られる。
【図面の簡単な説明】
【００３５】
【図１】本発明のショーケースの２段圧縮式冷媒回路図である。
【図２】本発明のショーケースのドレン水の蒸発装置の斜視図である。
【図３】従来例を示す回路図である。
【図４】オープンショーケースの斜視図である。
【符号の説明】
【００３６】
１…ショーケース本体              １ａ…商品収納庫
２…凝縮器                        ３…機械室
４…蒸発皿                        ５…水位検知センサ
６…送風機                        ７…蒸発板
８…ショーケースコントローラ
９…ドレン水の蒸発装置            １０…冷凍装置
１１…圧縮機                      １１ａ…低段側圧縮部（１段圧縮）
１１ｂ…高段側圧縮部（２段圧縮）  １２…冷却器
１３，１４，１５，１６…配管
２０…蒸発布    
【図１】
2014035136.tif 000003
【図２】
2014035136.tif 000004
【図３】
2014035136.tif 000005
【図４】
2014035136.tif 000006